(57)【要約】      （修正有）【課題】壁面に取付け後のテレビ画面の枠が水平、垂直線に正確に平行になるよう取付け角度を微調整できるテレビ壁掛け用の壁側プレートを提供する。【解決手段】壁側プレートは金属板を平面視が横長長方形とし、上下方向両端部を直角に折り曲げて上側第１、下側第１の折曲部を形成して側面視を底面部２が幅広の略コ字状に形成し、更に、上側第１、下側第１の折曲部の先端部を底面部に平行に外側に直角に折り曲げて幅狭の上側第２、下側第２の折曲部を形成する。底面部には一定間隔で横方向に連続する上側横穴列、下側横穴列を底面部の上下幅中心線に対して対称位置に形成し、更に、上側横穴列、下側横穴列と底面部の上下方向端部との間に、底面部の上下方向中心線と横方向中心線との交点である底面部中心点１０を中心とする弧状の穴１１を底面部中心点からの半径距離を違えて複数形成する。【選択図】図３
0003188937.tif 000002
【実用新案登録請求の範囲】
【請求項１】
薄型テレビの背面に固定したテレビ側ブラケットを吊り掛け固定することにより薄型テレビを壁面に固定するため壁面に事前に取り付けるテレビ壁掛け用の壁側プレートであって、
該壁側プレートは、横長長方形の金属板の上下方向両端部を直角に折り曲げて上側第１折曲部、下側第１折曲部を形成することにより幅広の底面部を有する側面視略コ字状に形成し、更に、前記上側第１折曲部、下側第１折曲部の先端部を前記底面部に平行に外側に直角に折り曲げて幅狭の上側第２折曲部、下側第２折曲部が形成してあり、
前記底面部には、一定間隔で横方向に連続する上側横穴列、下側横穴列が底面部の上下方向中心線に対して対称位置に形成され、更に、前記上側横穴列、下側横穴列と底面部の上下方向端部との間には、底面部の上下方向中心線と横方向中心線との交点である底面部中心点を中心とする弧状の穴が、底面部中心点からの半径距離を違えて複数形成してあることを特徴とするテレビ壁掛け用の壁側プレート。
【考案の詳細な説明】
【技術分野】
【０００１】
本考案は、薄型の壁掛け用テレビを壁に取り付ける際に壁側に取り付けるテレビ壁掛け用の壁側プレートであって、特には、取り付け後のテレビ画面の枠が水平、垂直線からずれた場合に、壁に垂直な軸周りの取り付け角度を微調整して水平、垂直線に一致させられるようにしたテレビ壁掛け用の壁側プレートに関する。
【背景技術】
【０００２】
近年、液晶テレビやプラズマテレビといった薄型、大画面のテレビが一般家庭にも普及してきた。これらのテレビは大型であるため、居住空間を確保しつつインテリアとしての機能も発揮させるため壁面に取り付けられる傾向にある。これに応えてテレビを壁面に取り付けるための取り付け金具や支持装置が各種提案されている（例えば、特許文献１〜６参照）。
【０００３】
これら特許文献に提案されているテレビ壁掛け用支持具は、何れも壁面にベースとなる壁側固定部材（壁側プレート）を固定し、テレビの背面には各種形状のテレビ装着体を取り付ける。そして、テレビ装着体を壁面に固定した壁側固定部材にボルトで固定したり、フックで吊り掛けたり、可動式連結具で連結したりしてテレビを壁面に取り付ける方式を採用している。ところで、取り付けたテレビの画面の枠が、水平、垂直線から少しでもずれて傾いていると見にくく、気にかかるものである。
【０００４】
図１０は、一例としての従来の壁側固定部材（壁側プレート）５０の壁面５１への取り付け方を示した図である。壁側プレート５０には、固定用ボルト５２を通すための穴を水平方向に一定間隔で多数設けた穴列５３が上下２列設けられている。壁側プレート５０の長手方向を水平にして壁面５１に押しつけた状態で、固定用ボルト５２を通す穴を４個選び、選んだ穴を通して壁面５１に印を付ける。次に壁側プレート５０を外し、印部分にドリルで下穴を設ける。下穴をあけたならば壁側プレート５０を元の位置に戻し、４個の穴を通して固定用ボルト５２を下穴にねじ込み壁側プレート５０を壁面５１に固定する。
【０００５】
しかし、このような取り付け方法の場合、４個の下穴が完全に水平、垂直線上に並ぶようにドリルで開けることは困難である。また、テレビの背面にテレビ側ブラケットを取り付ける際、テレビ側ブラケットを傾いた状態で取り付けてしまって傾くこともある。こうした傾きが生じると、取り付け後のテレビ画面は壁面に垂直な軸周りに傾いた状態になる。従来の壁側固定部材（壁側プレート）を使用した方法では、このような傾きが生じた場合には４個の下穴をあけなおしたり、テレビ背面へのテレビ側ブラケットの取り付けをやり直したりする必要が生ずる。
【先行技術文献】
【特許文献】
【０００６】
【特許文献１】実用新案登録第３１６４３３７号公報
【特許文献２】特開２００６−５３２１２号公報
【特許文献３】特開２００７−３３５９２９号公報
【特許文献４】特開２００８−１５８２２８号公報
【特許文献５】特開２０１０−２７６７２７号公報
【特許文献６】特開２０１３−７９６６９号公報
【考案の開示】
【考案が解決しようとする課題】
【０００７】
本考案は、従来技術のこうした問題点を解決するためになされたもので、その課題は、壁面に取り付け後のテレビ画面の枠が水平、垂直線に正確に平行になるように、壁面に垂直な軸周りの取り付け角度を微調整可能にしたテレビ壁掛け用の壁側プレートを提供することにある。
【課題を解決するための手段】
【０００８】
前記課題を解決するための請求項１に記載の考案は、薄型テレビの背面に固定したテレビ側ブラケットを吊り掛け固定することにより薄型テレビを壁面に固定するため壁面に事前に取り付けるテレビ壁掛け用の壁側プレートであって、該壁側プレートは横長長方形の金属板の上下方向両端部を直角に折り曲げて上側第１折曲部、下側第１折曲部を形成することにより幅広の底面部を有する側面視略コ字状に形成し、更に、上側第１折曲部、下側第１折曲部の先端部を底面部に平行に外側に直角に折り曲げて幅狭の上側第２折曲部、下側第２折曲部が形成してあり、底面部には、一定間隔で横方向に連続する上側横穴列、下側横穴列が底面部の上下方向中心線に対して対称位置に形成され、更に、上側横穴列、下側横穴列と底面部の上下方向端部との間には、底面部の上下方向中心線と横方向中心線との交点である底面部中心点を中心とする弧状の穴が、底面部中心点からの半径距離を違えて複数形成してあることを特徴とするテレビ壁掛け用の壁側プレートである。
【０００９】
このような構成によれば、壁面に設けた４個の壁側プレート固定用下穴を結んでできる四角形が水平線から傾いていた場合、あるいはテレビ背面にテレビ側ブラケットが傾いて取り付けられていた場合でも、底面部の弧状の穴が底面部の上下方向中心線と横方向中心線との交点である底面部中心点を中心とする弧状に配置して形成してあるため、生じた傾きを修正する方向に壁側プレートを傾けて取り付けることができる。これにより下穴をあけなおしたり、テレビ側ブラケットを取り付けなおしたりすることなくテレビ画面の枠を水平、垂直線に正確に平行にすることができる利点を有する。
【図面の簡単な説明】
【００１０】
【図１】本考案に係る壁側プレート１の正面図である。
【図２】壁側プレート１の拡大断面図である。
【図３】壁側プレート１の弧状の穴１１の説明図である。
【図４】一例としてのテレビ側ブラケット１３の外観である。
【図５】テレビ背面にテレビ側ブラケット１３を取り付けた状態である。
【図６】テレビ側ブラケット１３を取り付けたテレビを壁側プレート１へ取り付けた状態の側面図である。
【図７】壁面の下穴を設ける位置に印を付ける方法の説明図である。
【図８】壁面に設けた下穴位置の説明図である。
【図９】下穴の傾斜を補正してテレビを水平に取り付けるための壁側プレート１の取り付け方を説明する図である。
【図１０】従来の方法による壁側プレート５０の取り付け方の説明図である。
【考案を実施するための形態】
【００１１】
以下、本考案に係るテレビ壁掛け用の壁側プレートの一実施形態について図面を参照して説明する。図１はその壁側プレート１の正面図、図２の（１）は拡大右側面図、図２の（２）は図１のＡ−Ａ線に沿った拡大断面図、図２の（３）は図１のＢ−Ｂ線に沿った拡大断面図である。壁側プレート１は、金属板を図１に示すように平面視が横長長方形で、側面視が幅広の底面部２を有する略コ字状に折り曲げて形成されている。横長方向を水平にして底面部２を壁面に接触させた状態で取り付ける。
【００１２】
横長長方形の底面部２の上下方向両端部は、直角に折り曲げて幅狭の上側第１折曲部３、下側第１折曲部４を形成して断面略コ字状にしてある。更に、その上側第１折曲部３、下側第１折曲部４の先端部を底面部２に平行に外側に直角に折り曲げて、幅狭の上側第２折曲部５、下側第２折曲部６が形成してある。
【００１３】
横長の底面部２には、一定間隔で横方向に連続する上側横穴列８、下側横穴列９が底面部２の上下方向中心線に対して対称位置に形成されている。上側横穴列８、下側横穴列９の個々の穴は、壁面への固定用ボルトが通る幅に形成してある。更に、本実施形態の壁側プレート１の特徴として、上側横穴列８、下側横穴列９と底面部２の上下方向端部との間には、図３に示すように底面部２の上下方向中心線と横方向中心線との交点である底面部中心点１０を中心とする弧状の穴１１が、底面部中心点１０からの半径距離を違えて複数形成してある。各弧状の穴１１も壁面への固定用ボルトが通る幅に形成してある。底面部２は、上側横穴列８、下側横穴列９の穴、又は弧状の穴１１を通して固定用ボルトを壁面に設けた４〜６個の下穴にねじ込んで壁面に固定するが、主には弧状の穴１１を利用して固定する。
【００１４】
図４は、薄型テレビテレビの背面側に取り付けるテレビ側ブラケットの一例の外観である。このテレビ側ブラケット１３は、テレビ背面にねじ止め固定するための多数の穴を設けた固定用ブラケット１４と、上部に２つのフック１５、下部に脱落防止用螺子１６を設けた吊り掛け用ブラケット１７とで構成されている。固定用ブラケット１４は断面がコ字状に形成され、テレビに接触する面の中央より上側部分には固定用螺子を通す丸穴１９が上下方向に多数設けてあり、中央より下側部分には、これも固定用螺子を通す長穴２０が上下方向に複数個設けてある。
【００１５】
吊り掛け用ブラケット１７は、背面中央部が横板で繋がった平行な２枚のプレート１７ａで構成されている。各プレート１７ａの上部には、底面部２の上側第２折曲部５に吊り掛けるためのフック１５が形成されている。下部には相手側プレート１７ａに向けて折りまげた水平部２１を形成し、その水平部２１に下から上向きに脱落防止用螺子１６がねじ込んである。脱落防止用螺子１６は、ねじ込みを加減することにより水平部２１上側に突出するねじ山部分の長さを調節できる。
【００１６】
吊り掛け用ブラケット１７の２枚のプレート１７ａの中程には、上下方向中心線に対称に弧状長穴２２が２個設けてあり、上下方向中央にも丸穴が設けてある。固定用ブラケット１４には、中央部に上下方向に弧状長穴２３が設けてある。固定用ブラケット１４の左右のプレート間には、２枚のプレート１７ａの前記弧状長穴２２を通して２本の固定軸２５が固定取り付けしてある。また、固定用ブラケット１４の中央部の弧状長穴２３と２枚のプレート１７ａの中央の丸穴を通しては、固定用ブラケット１４と２枚のプレート１７ａを締めつけて動かないようにするための手で締めつけ可能な締めつけボルト２６が取り付けてある。締めつけボルト２６を緩めた状態では、２枚のプレート１７ａの固定用ブラケット１４に対する姿勢（相互間の角度）を２枚のプレート１７ａを動かして弧状長穴２２を通る２本の固定軸２５の通過位置を変えることで調整することができる。その際、締めつけボルト２６は、２枚のプレート１７ａの移動に合わせて中央部の弧状長穴２３内を移動する。このように２枚のプレート１７ａを動かして２枚のプレート１７ａの固定用ブラケット１４に対する姿勢（相互間の角度）を決めたならば、締めつけボルト２６を締めつけてその姿勢を固定化させる。
【００１７】
吊り掛け用ブラケット１７は、図５に示すようにテレビ３０の背面の左右に固定用ブラケット１４の多数の丸穴１９、長穴２０を利用して２個取り付ける。テレビを固定した吊り掛け用ブラケット１７を壁面に固定した壁側プレート１に取り付けるときは、吊り掛け用ブラケット１７の脱落防止用螺子１６を取り外す。そして、図６に示すように吊り掛け用ブラケット１７の２つのフック１５を壁面３１に取り付けた壁側プレート１の上側第２折曲部５の好みの位置に吊り掛ける。次に脱落防止用螺子１６を吊り掛け用ブラケット１７に取り付け、螺子の上方先端部が壁側プレート１の底面部２の下側第２折曲部６と壁面３１の間に入り、かつ先端が壁側プレート１の下側第１折曲部４に接触する位置までねじ込む。これによりテレビを固定したテレビ側ブラケット１３は、壁側プレート１から外れて脱落することが防止される。テレビ側ブラケット１３の固定用ブラケット１４と吊り掛け用ブラケット１７間の角度は、前述したように締めつけボルト２６の締めつけ位置を変えることで調整できる。従って、取り付けたテレビ画面の仰角もその調整で好みの角度に調整できる。
【００１８】
このように構成した本実施形態の壁側プレート１は次のようにして壁面に取り付ける。壁側プレート１をボルトで壁面に固定するために利用する底面部２のボルト通過穴としては、底面部２の上側横穴列８、下側横穴列９の何れかを利用することも可能である。しかし、本実施形態の壁側プレート１では、上側横穴列８、下側横穴列９の外側に設けてある上下２列の弧状の穴１１を利用する。
【００１９】
図７に示すように、壁側プレート１を横長方向が水平になるようにして底面部２を壁面に押しつける。その状態で、四角形状を形成する位置にある４個の弧状の穴１１を選択し、それらの穴の中央部を通して壁面に４個の印３５ａ、３５ｂ、３５ｃ、３５ｄを付ける。次に、壁側プレート１を外し、図８の（１）に示す壁面につけた４個の印３５ａ、３５ｂ、３５ｃ、３５ｄの位置にドリルで下穴をあける。下穴をあけたならば壁側プレート１を元の位置に戻し、前記４個の弧状の穴１１を通して取り付けボルトを各下穴にねじ込み、壁側プレート１を壁面に固定する。
【００２０】
このように壁側プレート１を壁面に固定する際にしばしば生ずる問題として、４個の印３５ａ、３５ｂ、３５ｃ、３５ｄの位置に設けた下穴を結ぶ線が水平、垂直線上に乗らず、例えば、図８の（２）に示すように四角形が水平線から傾いてしまうことがある。その一番の原因は、４個の印３５ａ、３５ｂ、３５ｃ、３５ｄをつけるため壁側プレート１を壁面に押しつけた際に、壁側プレート１の横方向が完全には水平でなかったことにある。他の原因としては、弧状の穴１１を利用して壁面に印をつける際の位置ずれ、ドリルで下穴を設ける際のドリルの位置ずれがある。
【００２１】
４個の下穴を結んだ四角形が水平線から傾いている状態でテレビ側ブラケット１３を取り付けた場合には、取り付け後のテレビ画面は壁面に垂直な軸周りに僅かに傾いた状態になる。テレビの背面にテレビ側ブラケット１３を取り付ける際に、テレビ側ブラケット１３を傾いた状態で取り付けてしまった場合も同様である。このような場合、本実施形態の壁側プレートでは、底面部２の弧状の穴１１が底面部２の上下方向中心線と横方向中心線との交点である底面部中心点１０を中心とする弧状に配置して形成してあるため、図９に示すように４個の下穴を結んだ四角形が水平線から傾いていても水平に取り付けることができる。テレビの背面へのテレビ側ブラケット１３の取り付けに傾きがあってテレビが傾く場合には、底面部２をその傾きを補正する方向に傾けて固定することによりテレビを水平に取り付けることができる。こうした補正を可能にしているのも、弧状の穴１１が底面部中心点１０を中心とする円弧の上に形成してあることによる。本実施形態の壁側プレートを採用した場合は、こうした取り付け方や補正により下穴をあけなおしたり、テレビ側ブラケットを取り付けなおしたりすることなく、取り付けたテレビの画面の枠が水平、垂直になるようにテレビを壁面に取り付けることができる。
【符号の説明】
【００２２】
図面中、１は壁側プレート、２は底面部、３は上側第１折曲部、４は下側第１折曲部、５は上側第２折曲部、６は下側第２折曲部、８は上側横穴列、９は下側横穴列、１０は底面部中心点、１１は弧状の穴、１３はテレビ側ブラケット、３０はテレビ、３１は壁面を示す。
【図１】
0003188937.tif 000003
【図２】
0003188937.tif 000004
【図３】
0003188937.tif 000005
【図４】
0003188937.tif 000006
【図５】
0003188937.tif 000007
【図６】
0003188937.tif 000008
【図７】
0003188937.tif 000009
【図８】
0003188937.tif 000010
【図９】
0003188937.tif 000011
【図１０】
0003188937.tif 000012